【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ポンプであって、
‐  子午面において約１８０°にわたるトロイダル型の流路を伴うインペラと、
‐  実質的に軸方向の拡散器であって、前記インペラは、前記軸方向の拡散器内へ放出し、流体が、前記軸方向の拡散器内に同軸に位置するポンプ入口ノズルを通して前記インペラに進入する、軸方向の拡散器と、
‐  導水路接続と、
‐  環状タービン案内羽根入口開口部と、
‐  放出導管と、
‐  放水路接続と
を備える、ポンプ。
【請求項２】
加圧シールを用いて井戸ケーシングにシールされるピットレスアダプタをさらに備える、請求項１に記載のポンプ。
【請求項３】
前記ポンプは、タービンとしても動作させられることが可能である、請求項１に記載のポンプ。
【請求項４】
タービンとして動作する前記ポンプは、軸方向の拡散器と、２つの端部を伴う流動インバータと、環状タービン案内羽根入口開口部と、導水路と、入口端部および放出端部を伴うポンプ拡散器と、放出導管とを備えるタービンをさらに備える、請求項３に記載のポンプ。
【請求項５】
タービンとして動作する前記ポンプは、タービンをさらに備え、前記流動インバータは、一端上で前記ポンプ拡散器の前記放出端部に接続されかつその他端において前記放出導管に接続される流動インバータを備え、前記流動インバータは、一端において前記環状タービン案内羽根入口開口部に接続され、かつ、その他端において前記導水路に接続される、請求項４に記載のポンプ。
【請求項６】
タービンとして動作する前記ポンプは、前記軸方向の拡散器内のサブ拡散器羽根を伴うタービンをさらに備え、前記拡散器羽根は、前記ポンプがタービンとして動作させられるとき、タービン案内羽根としての役割を果たす、請求項５に記載のポンプ。
【請求項７】
前記ポンプは、水中可逆ポンプタービンとしても動作させられることが可能である、請求項１に記載のポンプ。
【請求項８】
水中可逆ポンプタービンとして動作する前記ポンプは、電動発電機と、ランナと、導水路接続と、放水路接続とを備える水中可逆ポンプタービンを備える、請求項７に記載のポンプ。
【請求項９】
水中可逆ポンプタービンとして動作する前記ポンプは、前記ランナの上方、前記導水路接続の上方、かつ前記放水路接続の上方に位置する電動発電機を備える、請求項８に記載のポンプ。
【請求項１０】
前記水中可逆ポンプタービンは、電動発電機とランナとを伴う可逆ポンプタービンを備える、請求項９に記載のポンプ。
【請求項１１】
前記水中可逆ポンプタービンは、可逆ポンプタービンを備え、前記電動発電機は、前記ランナの下方に位置する、請求項１０に記載のポンプ。
【請求項１２】
タービンであって、
‐  子午面において約１８０°にわたるトロイダル型の流路を伴うランナと、
‐  流体を略軸方向に前記ランナ内へ放出する実質的に軸方向のタービン入口案内羽根アセンブリと
を備え、
流体が、前記タービン案内羽根アセンブリ内に同軸に位置するドラフトチューブを通して前記ランナを退出する、タービン。
【請求項１３】
半径方向に位置付けられる同一平面上の回転軸を伴う調節可能な改札型ゲートをさらに備える、請求項１２に記載のタービン。
【請求項１４】
実質的な正味トルクを用いて玉継手を通して各改札型ゲートを作動させるように構成される逆回転偏移リングをさらに備える、請求項１３に記載のタービン。
【請求項１５】
最小ヘッドロスと略等しい面積の同軸流路をトランスポーズするための流動インバータ。
【請求項１６】
少なくとも１つの膨張可能シールを含むピットレスアダプタであって、前記膨張可能シールは、ガス圧平衡圧力逃がし弁としても機能するように穿孔表面に対して膨張させられる、ピットレスアダプタ。
【請求項１７】
揚水システムであって、
‐  上側水貯蔵槽と、
‐  下側水貯蔵槽と、
‐  導水路導管によって前記上側水貯蔵槽に接続され、また、放水導管を用いて前記下側水貯蔵槽に接続される可逆ポンプタービンと、
‐  前記ポンプタービンに動作可能に接続される電動発電機と
を備え、
前記ポンプタービンは、複数の段を備え、前記ポンプタービンは、前記下側水貯蔵槽の表面の下方のある深さに垂直シャフト内に位置付けられ、前記ポンプタービンは、前記垂直シャフトから軸方向に除去可能であり、
動作の間に前記垂直シャフトの上部に固定される除去可能なマニホールドをさらに備え、前記除去可能なマニホールドは、過剰な引水圧力を前記放水導管に解放するために、圧力逃がし弁を含み、前記圧力逃がし弁は、引水圧力を含有する１つ以上のオリフィスに対して制御されるガス圧力によって保持される弾性振動板を備える、揚水システム。
【請求項１８】
前記導水路導管および前記放水導管は、前記ポンプタービンの上方の前記垂直シャフト内に同軸に位置付けられる、請求項１７に記載の揚水システム。
【請求項１９】
前記電動発電機は、前記ポンプタービンの下方に位置付けられる、請求項１８に記載の揚水システム。
【請求項２０】
同軸導管は、内部導管と、外部導管とを備え、前記除去可能なマニホールドは、前記内部導管内の水を前記下側水貯蔵槽に指向させるように、および、水を前記上側水貯蔵槽から前記導水路導管に指向させるために適応させられる、請求項１９に記載の揚水システム。
【請求項２１】
前記マニホールドは、前記導水路導管内のサージ圧力を低減させるために、空気圧制御式圧力逃がし弁をさらに備える、請求項２０に記載の揚水システム。
【請求項２２】
前記垂直シャフト内で前記ポンプタービンを選択的に上昇および降下させるために、前記ポンプタービンの下方に位置付けられるホイストピストンをさらに備える、請求項１７に記載の揚水システム。
【請求項２３】
上側水貯蔵槽と、下側水貯蔵槽と、導水路導管によって前記上側水貯蔵槽に接続され、また、放水導管を用いて前記下側水貯蔵槽に接続される可逆ポンプタービンとを有する揚水システムであって、前記ポンプタービンは、前記下側水貯蔵槽の表面の下方のある深さに垂直シャフト内に位置付けられ、前記ポンプタービンは、前記垂直シャフトから軸方向に除去可能であり、前記導管は、前記垂直シャフト内に同軸に位置付けられ、
動作の間に前記垂直シャフトの上部に固定される除去可能なマニホールドをさらに備え、前記除去可能なマニホールドは、過剰な引水圧力を解放するために、圧力逃がし弁を含み、前記圧力逃がし弁は、引水圧力を含有する１つ以上のオリフィスに対して制御されるガス圧力によって保持される弾性振動板を備える、揚水システム。
【手続補正２】
【補正対象書類名】明細書
【補正対象項目名】００１４
【補正方法】変更
【補正の内容】
【００１４】
本発明のさらなる側面によると、流動に上向きの速度成分を加える可逆ポンプタービンランナまたはポンプインペラが、提供される。この上向きの速度成分は、流動が、拡散器、または可逆ポンプタービンの場合、案内羽根と拡散器との組み合わせを通して真上に、または多段ポンプの場合、直接的に拡散器（固定子）の段に進行しながら、最大水路径に対するインペラの先端径の比率を最大限にすることを可能にする。本発明の場合、この比率は１．００であってもよい。これは、段毎の水頭を最大限にし、より大きい水頭が、単段機械を用いて達成されることを可能にする。図１９ａ、１９ｂ、および１９ｃは、子午面における流動および後端に向かって見られたときのインペラの羽根のＸ形状の外観を図示する。
本発明は、例えば、以下を提供する。
（項目１）
上側水貯蔵槽と、下側水貯蔵槽と、導水路導管によって前記上側水貯蔵槽に接続され、また、放水導管を用いて前記下側水貯蔵槽に接続される、可逆ポンプタービンとを有する、揚水システムであって、前記ポンプタービンは、前記下側水貯蔵槽の表面の下方のある深さに垂直シャフト内に位置付けられ、前記ポンプタービンは、前記垂直シャフトから軸方向に除去可能である、揚水システム。
（項目２）
前記ポンプタービンは、複数の段を備える、項目１に記載のシステム。
（項目３）
前記導水路導管および前記放水導管は、前記ポンプタービンの上方の前記垂直シャフト内に同軸に位置付けられる、項目１に記載のシステム。
（項目４）
前記ポンプタービンに動作可能に接続される電動発電機をさらに備える、項目１に記載のシステム。
（項目５）
前記電動発電機は、前記ポンプタービンの下方に位置付けられる、項目４に記載のシステム。
（項目６）
前記電動発電機は、ポンプ発電機の上方にあり、かつ垂直駆動シャフトを用いてそれに動作可能に接続される、項目４に記載のシステム。
（項目７）
同軸導管は、内部導管と、外部導管とを備え、前記内部導管内の水を前記下側水貯蔵槽に指向させるために、および、水を前記上側水貯蔵槽から前記導水路導管に指向させるために、除去可能なマニホールドをさらに備える、項目３に記載のシステム。
（項目８）
前記マニホールドは、前記導水路導管内のサージ圧力を低減させるために、空気圧制御式圧力逃がし弁をさらに備える、項目７に記載のシステム。
（項目９）
前記垂直シャフト内で前記ポンプタービンを選択的に上昇および降下させるために、前記ポンプタービンの下方に位置付けられるホイストピストンをさらに備える、項目１に記載のシステム。
（項目１０）
上側水貯蔵槽と、下側水貯蔵槽と、導水路導管によって前記上側水貯蔵槽に接続され、また、放水導管を用いて前記下側水貯蔵槽に接続される、可逆ポンプタービンとを有する、揚水システムであって、前記ポンプタービンは、前記下側水貯蔵槽の表面の下方のある深さに垂直シャフト内に位置付けられ、前記ポンプタービンは、前記垂直シャフトから軸方向に除去可能であり、前記導管は、前記垂直シャフトと同軸に位置付けられる、揚水システム。
（項目１１）
垂直シャフト内に位置する可逆ポンプタービンであって、前記可逆ポンプタービンは、前記垂直シャフトから除去可能である、可逆ポンプタービン。
（項目１２）
水中電動発電機をさらに備える、項目１１に記載の装置。
（項目１３）
前記電動発電機は、１つ以上のポンプタービンステージの真下に位置する、項目１２に記載の装置。
（項目１４）
動作の間に、前記シャフトの上部に固定される除去可能なマニホールドをさらに備える、項目１１に記載の装置。
（項目１５）
前記除去可能なマニホールドは、過剰な引水圧力を前記放水導管に解放するために、圧力逃がし弁を含む、項目１４に記載の装置。
（項目１６）
前記圧力逃がし弁は、引水圧力を含有する１つ以上のオリフィスに対して制御されるガス圧力によって保持される弾性振動板から成る、項目１５に記載の装置。
（項目１７）
前記電動発電機は、前記引水を前記垂直シャフトに接続する取水口の上方に位置する、項目１１に記載の装置。
（項目１８）
前記ポンプタービンは、複数の段から成る、項目１１に記載の装置。